(57)【要約】【課題】送風口から温風が漏れ出ることなく、乾燥性能の安定したドラム式洗濯乾燥機を提供すること。【解決手段】カバー部に取り付けられ、前記回転ドラム内に空気を入れる送風口を形成する送風口部材とを備え、前記送風口部材と前記カバー部とは複数のシール部材によりシールされ、前記シール部材による反発力を、異なる３方向で位置規制をする。これにより、脱水受けカバーに送風口部材が取り付けられる時、３方向においてガタツキを規制し取り付けられるので、衣類を乾燥させるための温風が隙間からもれ出る量を少なくし、衣類が未乾燥に終わったり、乾燥が不要に長くならないため、乾燥性能の安定したドラム式洗濯乾燥機を提供することができる。【選択図】図１
2012217458.tif 000002
【特許請求の範囲】
【請求項１】
開口する正面側から底部となる背面側に向けて回転軸の方向が水平または水平方向から下向き傾斜となる有底円筒形に形成された回転ドラムと、
前記回転ドラムを内部に配設し、開口する正面側にカバー部を有する水槽と、
前記回転ドラムを回転駆動するモータと、
前記モータを制御して洗い行程、すすぎ行程、脱水工程、乾燥工程を制御する制御手段と、
前記カバー部に取り付けられ、前記回転ドラム内に空気を入れる送風口を形成する送風口部材とを備え、
前記送風口部材と前記カバー部とは複数のシール部材によりシールされ、
前記シール部材による反発力を、異なる３方向で位置規制をするドラム式洗濯乾燥機。
【請求項２】
前記３方向は、前記回転軸に平行な軸方向と、前記回転軸の軸心から前記カバー部の外周までの径方向と、前記径方向と同一平面状で前記径方向の接線方向との３方向である請求項１に記載のドラム式洗濯乾燥機。
【請求項３】
前記位置規制は、前記カバー部または／および前記送風口部材に設けた、前記シール部材を押し込むリブにより規制する請求項１または２に記載のドラム式洗濯乾燥機。
【発明の詳細な説明】
【技術分野】
【０００１】
本発明は、ドラム式洗濯機に乾燥機能を付加して洗濯から乾燥に至る各工程を連続的に、あるいは任意に乾燥工程を選択して実施することができるドラム式洗濯乾燥機に関する。
【背景技術】
【０００２】
従来、この種のドラム式洗濯乾燥機は、衣類を乾燥するための温風を作り出す循環ファンを有している。循環ファンによって生成された風は加熱器を通り、暖められて温風に変化する。温風の送風路は、回転ドラムを覆う筐体と、ドラム内の衣類の脱水バランスを取るために付けられた錘と、その錘を保有していて、ドラムを覆っている筐体に取り付けられているカバー部と、カバー部に取り付けられた送風口部材から構成されている。（例えば、特許文献１参照）。
【０００３】
図５は従来のドラム式洗濯乾燥機における送風口取り付け後の平面図である。図６は、従来のドラム式洗濯乾燥機における送風口取り付け後の断面図である。カバー部９８に取り付けられた送風口部材９９は、回転ドラム９１内に温風を入れる。洗った後の湿った衣類に温風が当たり、衣類から水分を奪う。水分を奪った湿った乾燥風は回転ドラム９１の後方から熱交換器を通り、循環ファンと加熱器に戻り、再度温風に変化する。この繰り返しによって衣類が乾燥する。また、送風口は送風口部材９９とカバー部９８から成り、別々の部品で構成されている。しかし、送風口部材９９とカバー部９８のわずかな隙間から温風が漏れる可能性がある。
【０００４】
また、カバー部に溝を設けて、シール用パッキンをはめこみ、送風口部材に設けたリブで回転ドラムの回転軸に平行方向に押しつぶす構成とすることで、温風の漏れを防ぐことができる。
【先行技術文献】
【特許文献】
【０００５】
【特許文献１】特開２０１０−８２３４７号公報
【発明の概要】
【発明が解決しようとする課題】
【０００６】
しかしながら、前記従来構成のものでは、脱水受けカバーに送風口を取り付けた場合、シール用パッキンの反発力で送風口の取り付け面が、シール用パッキンの反発力に押され、回転軸に平行方向に浮き上がってしまう。取付け面が浮き上がると、シール性能が低下し、浮いた部分から衣類を乾燥するための温風がもれ出てしまう。温風がもれ出ることによって衣類の乾燥性能が不安定になり、衣類が未乾燥になったり、衣類は乾燥しているのに終了の検知をせず、長く時間がかかってしまったりという乾燥の性能に影響を大きく及ぼす課題を有していた。また送風口の浮き上がりにより、送風口と周辺部品の干渉が生じるという課題を有していた。
【０００７】
本発明は、前記従来の課題を解決するもので、送風口から温風が漏れ出ることなく、乾燥性能の安定したドラム式洗濯乾燥機を提供することを目的とする。
【課題を解決するための手段】
【０００８】
前記従来の課題を解決するために、本発明のドラム式洗濯乾燥機は、開口する正面側から底部となる背面側に向けて回転軸の方向が水平または水平方向から下向き傾斜となる有底円筒形に形成された回転ドラムと、前記回転ドラムを内部に配設し、開口する正面側にカバー部を有する水槽と、前記回転ドラムを回転駆動するモータと、前記モータを制御して洗い行程、すすぎ行程、脱水工程、乾燥工程を制御する制御手段と、前記カバー部に取り付けられ、前記回転ドラム内に空気を入れる送風口を形成する送風口部材とを備え、前記送風口部材と前記カバー部とは複数のシール部材によりシールされ、前記シール部材による反発力を、異なる３方向で位置規制をするものである。
【０００９】
このような構成によって、カバー部に送風口部材が取り付けられる時、３方向においてガタツキを規制し取り付けられる。これにより、異なる作業者が組み立てた際にも、安定した状態に取付けることが可能となる。このため、衣類を乾燥させるための温風が、隙間からもれ出る量を少なくし、衣類が未乾燥に終わったり、乾燥が不要に長くなったりしないため、乾燥性能の安定したドラム式洗濯乾燥機を提供することができる。
【発明の効果】
【００１０】
本発明のドラム式洗濯乾燥機は、送風口部材が安定した状態に取り付けられるので、衣類を乾燥させるための温風が、隙間からもれ出る量を少なくし、乾燥性能を安定させることができる。
【図面の簡単な説明】
【００１１】
【図１】本発明の実施の形態１におけるドラム式洗濯乾燥機の縦断面図
【図２】同脱水受けカバーと送風口の取り付け前の斜視図
【図３】同脱水受けカバーと送風口の取り付け後の斜視図
【図４】（ａ）同脱水受けカバーと送風口の取り付け後の平面図（ｂ）同脱水受けカバーと送風口の取り付け後の正面図（ｃ）同脱水受けカバーと送風口の取り付け後の正面図の一部拡大図（ｄ）同脱水受けカバーと送風口の取り付け後の右側面図（ｅ）同脱水受けカバーと送風口の取り付け後の右側面図の一部拡大図（ｆ）同脱水受けカバーと送風口の取り付け後の右側面図の一部拡大図
【図５】従来のドラム式洗濯乾燥機における送風口取り付け後の平面図
【図６】従来のドラム式洗濯乾燥機における送風口取り付け後の断面図
【発明を実施するための形態】
【００１２】
第１の発明のドラム式洗濯乾燥機は、開口する正面側から底部となる背面側に向けて回転軸の方向が水平または水平方向から下向き傾斜となる有底円筒形に形成された回転ドラムと、前記回転ドラムを内部に配設し、開口する正面側にカバー部を有する水槽と、前記回転ドラムを回転駆動するモータと、前記モータを制御して洗い行程、すすぎ行程、脱水工程、乾燥工程を制御する制御手段と、前記カバー部に取り付けられ、前記回転ドラム内に空気を入れる送風口を形成する送風口部材とを備え、前記送風口部材と前記カバー部とは複数のシール部材によりシールされ、前記シール部材による反発力を、異なる３方向で位置規制をするものである。
【００１３】
このような構成によって、カバー部に送風口部材が取り付けられる時、３方向においてガタツキを規制し取り付けられる。これにより、異なる作業者が組み立てた際にも、安定した状態に取付けることが可能となる。このため、衣類を乾燥させるための温風が、隙間からもれ出る量を少なくし、衣類が未乾燥に終わったり、乾燥が長くなったりすることなく乾燥性能の安定したドラム式洗濯機を提供することができる。また、また送風口部材の浮き上がりによる、送風口部材と周辺部品の干渉を防止することを可能とする。
【００１４】
第２の発明は、特に、第１の発明のドラム式洗濯乾燥機は、前記３方向が、前記回転軸に平行な軸方向と、前記回転軸の軸心から前記カバー部の外周までの径方向と、前記径方向と同一平面状で前記径方向の接線方向との３方向であるものである。
【００１５】
このような構成によって、カバー部に送風口部材が取り付けられる時、３方向においてガタツキを規制し取り付けられる。これにより、異なる作業者が組み立てた際にも、安定した状態に取付けることが可能となる。このため、衣類を乾燥させるための温風が、隙間からもれ出る量を少なくし、衣類が未乾燥に終わったり、乾燥が長くなったりすることなく乾燥性能の安定したドラム式洗濯機を提供することができる。また、また送風口部材の浮き上がりによる、送風口部材と周辺部品の干渉を防止することを可能とする。
【００１６】
第３の発明は、特に、第１または２の発明のドラム式洗濯乾燥機は、前記位置規制は、前記カバー部または／および前記送風口部材に設けた、前記シール部材を押さえつけるリブにより規制するものである。
【００１７】
このような構成によって、押さえつけのシールをするためのリブを利用するので、別途部品を容易することなく簡単な構成で温風が隙間から漏れ出さないようにすることができる。
【００１８】
以下、本発明の実施の形態１について、図面を参照しながら説明する。なお、実施の形態によって本発明が限定されるものではない。
【００１９】
（実施の形態１）
図１は、本発明の実施の形態１における電解装置の横断面図を示すものである。有底円筒形に形成された回転ドラム１は、開口する正面側から底部となる背面側に向けて回転軸の方向が水平または水平方向から下向きに傾斜している。回転ドラム１は、モータ３によって回転駆動する。制御手段４は、モータ３等を制御して洗い行程、すすぎ行程、脱水工程、乾燥工程を制御する。
【００２０】
水槽２は、回転ドラム１を回転可能に内部に配設しており、開口する正面側にカバー部である脱水受けカバー８を有する。送風口部材９は脱水受けカバー８に取り付けられており、送風口部材９と脱水受けカバー８とで送風口を形成している。送風口部材９と脱水受けカバー８とは複数のパッキン１５（シール部材）によりシールされている。脱水受けカバー８にはパッキン１５を押し込むリブ１０が設けられている。リブ１０の押し込みによるパッキン１５の反発力を、異なる３方向で位置規制している。
【００２１】
図２〜４を用いて、脱水受けカバー８の詳細な構成を説明する。図２は、本発明の実施の形態１における脱水受けカバーと送風口の取り付け前の斜視図である。図３は、本発明の実施の形態１における脱水受けカバーと送風口の取り付け後の斜視図である。脱水受けカバー８と送風口部材９が図２から図３のように取り付けられる。図３のように、温風は方向Ａから方向Ｂへと流れる。
【００２２】
図４（ａ）は、本発明の実施の形態１における脱水受けカバーと送風口の取り付け後の平面図である。図４（ｂ）は、本発明の実施の形態１における脱水受けカバーと送風口の取り付け後の正面図である。図（ｃ）は、本発明の実施の形態１における脱水受けカバーと送風口の取り付け後の正面図の一部拡大図である。図（ｄ）は、本発明の実施の形態１における脱水受けカバーと送風口の取り付け後の右側面図である。図（ｅ）は、本発明の実施の形態１における脱水受けカバーと送風口の取り付け後の右側面図の一部拡大図である。図（ｆ）は、本発明の実施の形態１における脱水受けカバーと送風口の取り付け後の右側面図の一部拡大図である。
【００２３】
図４において、軸方向Ｃは、回転ドラム１の回転軸に平行な方向である。径方向Ｆとは、回転ドラム１の回転軸の軸心から脱水受けカバー８の外周に向かう方向である。接線方向Ｇとは、径方向と同一平面状であり、径方向と接線方向のことである。
【００２４】
図４（ｂ）および（ｃ）に示すように、送風口部材９に設けた径方向の溝１８ｆにシール部材である径方向のパッキン１５ｆをはめこむ。脱水受けカバー８に設けた径方向のリブ１０ｆによって、径方向のパッキン１５ｆを軸方向Ｃに押しつぶす。この際生じる、径方向のパッキン１５ｆの反発力による軸方向Ｃの浮きを、送風口部材９が、脱水受けカバー８に設けた径方向のリブ１０ｆをくわえ込むことで規制する。
【００２５】
また、図４（ｄ）および（ｅ）に示すように、送風口部材９に設けた接線方向の溝１８ｇにシール部材である接線方向のパッキン１５ｇをはめこむ。脱水受けカバー８に設けた接線方向のリブ１０ｇによって、パッキン１５ｇを方向Ｆに押しつぶす。この際生じる、接線方向のパッキン１５ｇの反発力による径方向Ｆのズレを、送風口部材９に設けた溝リブ１１にて、脱水受けカバー８に設けたボス１７をくわえ込むことで規制する。
【００２６】
さらに、接線方向Ｇへのガタツキは、送風口部材９に設けた溝リブ１１が、脱水受けカバー８に設けたボス１７をくわえ込むことで規制する。
【００２７】
径方向のリブ１０ｆと接線方向のリブ１０ｇと溝リブ１１による位置規制効果により、送風口部材９が浮き上がった状態、または、ずれた状態で脱水受けカバー８に取り付けられることがなくなる。
【００２８】
これにより、方向Ａからの脱水受けカバー８と送風口部材９の間を通る温風が、外へもれ出る量が少なくなる。温風温度センサー１３と戻り温度センサー１４の差温が組み立てによることを原因とした温度バラツキが小さくなり、衣類の未乾燥や乾燥時間が長くなるなどの問題がなくなって安定した乾燥検知システムを構成することができる。
【００２９】
また送風口部材９の浮き上がりによる、送風口部材９と周辺部品の干渉を防止することを可能とする。
【００３０】
なお、本発明の実施の形態１においては、脱水受けカバー８にリブ１０を、送風口部材９に溝１８を設置したが、これを脱水受けカバー８に溝１８、送風口部材９にリブとする構成でも同様の効果作用を奏する。また、本発明の実施の形態１においては、径方向の位置規制として、脱水受けカバー８にボス１７を、送風口部材９に溝１８を設置したが、これがフック形状と穴、ピンと穴等、他の位置規制の構成でも同様の効果作用を奏する。
【００３１】
上記構成のドラム式洗濯機における乾燥工程の動作を説明する。
【００３２】
制御手段４で乾燥行程が選択された場合、循環ファンモータ５が駆動して、回転し始める。この循環ファンモータ５の回転によって風が作られる。作られた風は加熱器６に入り加熱された温風に変わる。この温風は、脱水受けカバー８送風口部材９の間を通り、回転ドラム１内に入り、湿った衣類から水分を奪い衣類を乾燥させる。水分を含んだ風は、回転ドラム１の後方から熱交換器１２を通り、循環ファンモータ５と加熱器６に戻り、再度温風に変化する。この繰り返しを行いながら温風温度センサー１３と戻り温度センサー１４の差温度で、乾燥の終了を検知する。
【００３３】
本発明はドラム式洗濯機における構成としたが、送風口が２つ以上の構成部品からなる場合、縦型の洗濯機としてもよい。
【産業上の利用可能性】
【００３４】
以上のように、本発明にかかるドラム式洗濯機は、２つの構成部分からなる送風口の温風漏れを、簡単な構成で防止できる。よって、ドラム式洗濯乾燥機のみならず、送風口が複数の構成部品から成る空気排出装置を含む電化機器、例えば食器洗浄機や掃除機にも有用である。
【符号の説明】
【００３５】
１      回転ドラム
２      水槽
３      モータ
４      制御手段
５      循環ファンモータ
６      加熱器
８      脱水受けカバー（カバー部）
９      送風口部材
１０    リブ
１０ｆ  径方向のリブ
１０ｇ  接線方向のリブ
１１    溝リブ
１２    熱交換器
１３    温風温度センサー
１４    戻り温度センサー
１５    パッキン（シール部材）
１５ｆ  径方向のパッキン
１５ｇ  接線方向のパッキン
１７    ボス
１８    溝
１８ｆ  径方向の溝
１８ｇ  接線方向の溝
【図１】
2012217458.tif 000003
【図２】
2012217458.tif 000004
【図３】
2012217458.tif 000005
【図４】
2012217458.tif 000006
【図５】
2012217458.tif 000007
【図６】
2012217458.tif 000008